(57)【要約】  保護対象物収納バッグであるカメラ収納バッグ（１０）は、バッグ本体（３０）と、クッション材（６０）とを備えている。バッグ本体（３０）は、柔軟性素材を用いて折り曲げ可能に形成された略直方体の形状を有している。また、クッション材（６０）は、バッグ本体３０の略直方体の底壁Ａ、側壁Ｂ、Ｃ、Ｄ、Ｅ及び上壁Ｆに着脱可能に取り付けられている。具体的には、クッション材（６０）は、バッグ本体（３０）を裏返した状態で、各壁の二重構造の内部に挿入される。その後、バッグ本体を裏返すことで、カメラを収納可能となる。
2021006218.tif 000002
【特許請求の範囲】
【請求項１】
保護対象物が収納される空間を全面的に囲むバッグ本体であって、
前記空間を囲む各壁に形成された二重構造と、前記二重構造における収納面側に設けられた開口部と、を有するクッション取付部を備え、
前記クッション取付部には、クッション材が前記開口部を通じて前記二重構造の内部に着脱可能に取り付けられる、ことを特徴とするバッグ本体。
【請求項２】
請求項１に記載のバッグ本体において、
当該バッグ本体は略直方体に形成され、前記略直方体の５壁により形成された収納部と、残る１壁によって形成された蓋部とを有し、
前記収納部を形成する各壁における前記開口部は、前記収納部を形成する他の壁との境界に境界付近に設けられている、ことを特徴とするバッグ本体。
【請求項３】
（旧請求項１の特徴）
請求項１に記載のバッグ本体であって、
前記各壁は、柔軟性素材を用いて折り曲げ可能に形成されており、
当該バッグ本体は、前記クッション取付部に前記クッション材を取り付けた状態で、裏返し可能に形成されている、ことを特徴とするバッグ本体。
【請求項４】
請求項１に記載のバッグ本体と、
前記クッション取付部に着脱可能に取り付けられた前記クッション材と、
を備えることを特徴とする保護対象物収納バッグ。
【請求項５】
請求項４に記載の保護対象物収納バッグにおいて、
前記バッグ本体は略直方体に形成され、
前記略直方体の各壁のうち面積最大の２壁には、それぞれ、他の２壁または他の４壁に取り付けられる前記クッション材と同サイズの前記クッション材が複数個取り付けられる、ことを特徴とする保護対象物収納バッグ。
【請求項６】
請求項４に記載の保護対象物収納バッグにおいて、
前記バッグ本体は略直方体に形成され、
前記略直方体の各壁のうち面積最小の２壁または面積中間の２壁で用いられる前記クッション材と同サイズのクッション材が、前記バッグ本体の前記略直方体内における仕切壁として用いられることを特徴とする保護対象物収納バッグ。
【請求項７】
請求項４に記載の保護対象物収納バッグにおいて、
前記バッグ本体は略円柱体に形成されていることを特徴とする保護対象物収納バッグ。
【請求項８】
請求項４に記載の保護対象物収納バッグにおいて、
前記クッション材は、中空の内部と、当該中空の内部を囲む弾性素材で形成された弾性壁とを有する短辺方向に延びる独立した小クッションが長辺方向に複数個並べられ、前記小クッション間において切断可能に形成されている、ことを特徴とする保護対象物収納バッグ。
【請求項９】
請求項１に記載の保護対象物収納バッグであって、
前記保護対象物は精密機器であることを特徴とする精密機器収納バッグ。
【発明の詳細な説明】
【技術分野】
【０００１】
本発明は、バッグ本体、保護対象物収納バッグ及び精密機器収納バッグに関する。
【背景技術】
【０００２】
カメラ、レンズ、ＰＣ（パーソナルコンピュータ）などの精密機器、または、陶磁器、ガラス製品などのような損傷しやすい物、または、貴重な物を持ち運ぶ際には、落下、衝突などによって物が損傷しないように保護することが望ましい場合がある。【０００３】
下記特許文献１には、カメラを持ち運ぶためのバッグについて記載されている。このバッグは、ある程度の硬さをもったケースの壁の内部に、発泡ウレタンが埋め込まれて、カメラを保護している。
【先行技術文献】
【特許文献】
【０００４】
【特許文献１】特開２００８−２０９６２８号公報
【発明の概要】
【発明が解決しようとする課題】
【０００５】
上記特許文献１に記載されたバッグは、ある程度の硬さをもつため、精密機器の非収納時においても折り畳むことなどができず、収納時と同程度の体積を有することになる。【０００６】
また、多くの保護バッグでは、収納物を保護するクッション材が固定的に設置されているため、クッション材の交換が困難となる場合がある。【０００７】
本発明の目的は、保護対象物を保護可能な新しい構造を備えたバッグを提案することにある。
【課題を解決するための手段】
【０００８】
本発明にかかるバッグ本体は、保護対象物が収納される空間を全面的に囲むバッグ本体であって、前記空間を囲む各壁に形成された二重構造と、前記二重構造における収納面側に設けられた開口部と、を有するクッション取付部を備え、前記クッション取付部には、クッション材が前記開口部を通じて前記二重構造の内部に着脱可能に取り付けられる。【０００９】
本発明の一態様においては、当該バッグ本体は略直方体に形成され、前記略直方体の５壁により形成された収納部と、残る１壁によって形成された蓋部とを有し、前記収納部を形成する各壁における前記開口部は、前記収納部を形成する他の壁との境界に境界付近に設けられている。【００１０】
本発明の一態様においては、前記各壁は、柔軟性素材を用いて折り曲げ可能に形成されており、当該バッグ本体は、前記クッション取付部に前記クッション材を取り付けた状態で、裏返し可能に形成されている。【００１１】
本発明にかかる保護対象物収納バッグは、前記バッグ本体と、前記クッション取付部に着脱可能に取り付けられた前記クッション材と、を備える。【００１２】
本発明の一態様においては、前記バッグ本体は略直方体に形成され、前記略直方体の各壁のうち面積最大の２壁には、それぞれ、他の２壁または他の４壁に取り付けられる前記クッション材と同サイズの前記クッション材が複数個取り付けられる。【００１３】
本発明の一態様においては、前記バッグ本体は略直方体に形成され、前記略直方体の各壁のうち面積最小の２壁または面積中間の２壁で用いられる前記クッション材と同サイズのクッション材が、前記バッグ本体の前記略直方体内における仕切壁として用いられる。【００１４】
本発明の一態様においては、前記バッグ本体は略円柱体に形成されている。【００１５】
本発明の一態様においては、前記クッション材は、中空の内部と、当該中空の内部を囲む弾性素材で形成された弾性壁とを有する短辺方向に延びる独立した小クッションが長辺方向に複数個並べられ、前記小クッション間において切断可能に形成されている。【００１６】
本発明にかかる精密機器収納バッグは、前記保護対象物収納バッグにおいて、前記保護対象物は精密機器である。
【発明の効果】
【００１７】
本発明によれば、保護対象物を着脱可能なクッションによって保護可能である。
【図面の簡単な説明】
【００１８】
【図１】実施形態にかかるカメラ収納バッグの斜視図である。
【図２】カメラ収納バッグの分解図である。
【図３】仕切壁の分解図である。
【図４】仕切壁の斜視図である。
【図５】仕切壁を設置したカメラ収納バッグの斜視図である。
【図６】エアクッションの斜視図である。
【図７】図６におけるＸＸ面での断面図である。
【図８】別の実施形態にかかるカメラ収納バッグの斜視図である。
【図９】仕切壁の斜視図である。
【図１０】別の実施形態にかかるエアクッションの斜視図である。
【図１１】レンズ収納バッグの斜視図である。
【図１２】キャスター付バッグの斜視図である。
【発明を実施するための形態】
【００１９】
以下に、図面を参照しながら、実施形態について説明する。説明においては、理解を容易にするため、具体的な態様について示すが、これらは実施形態を例示するものであり、他にも様々な実施形態をとることが可能である。
【００２０】
図１は、実施形態にかかる精密機器収納バッグの一例であるカメラ収納バッグ１０の斜視図である。カメラ収納バッグ１０は、カメラ等を収納し、持ち運ぶための容器である。バッグという名称に代えて、例えば、カバン、梱包ケースなどと呼んでもよい。ただし、カメラ収納バッグ１０は、他の精密機器を収納するバッグとしても利用できるし、精密機器以外の保護対象物も収納可能な保護対象物収納バッグとしても利用できる。
【００２１】
カメラ収納バッグ１０は、６枚の長方形状の壁を組み合わせた略直方体に形成されている。「略直方体」とは、数学的に厳密な意味ではなく、社会通念的な意味で、直方体に近いと感じられる形状をいう。直方体には立方体も含まれる。カメラ収納バッグ１０は、具体的には、底壁Ａと、底壁Ａの周囲を囲む側壁Ｂ、Ｃ、Ｄ、Ｅの５枚の壁と、側壁Ｅの上端に接続された上壁Ｆを備える。図１では、底壁Ａの内側の面である面Ａｉｎと、側壁Ｂ、Ｃの外側の面である面Ｂｏｕｔ、Ｃｏｕｔと、側壁Ｄ、Ｅの内側の面である面Ｄｉｎ、Ｅｉｎと、上壁Ｆの内側の面であるＦｉｎが図示されている。底壁Ａと上壁Ｆは、面積が最大の壁である。また、側壁Ｂ、Ｄは面積が最小の壁である。側壁Ｃ、Ｅは、側壁Ｂ、Ｄよりも面積が大きく、底壁Ａ及び上壁Ｆよりも面積が小さい。
【００２２】
底壁Ａと側壁Ｂ、Ｃ、Ｄ、Ｅの５枚の壁は、内側（すなわち、面Ａｉｎ、Ｂｉｎ、Ｃｉｎ、Ｄｉｎ、Ｅｉｎで囲まれる空間）にカメラ等の収納部１２を形成している。そして、上壁Ｆは、収納部１２に対する蓋部となっている。側壁Ｂ、Ｃ、Ｄの上端かつ外側には、一方の線ファスナ１４ａが設けられており、これと向きあう上壁Ｆの下端かつ外側には、他方の線ファスナ１４ｂが設けられている。蓋部である上壁Ｆを閉じて一対の線ファスナ１４ａ、１４ｂを係合させることにより、収納部１２の内部に収納されたカメラ等が飛び出すことを防止できる。なお、「線ファスナ」とは、線的に開閉されるファスナであり、チャック、ジッパーなどとも呼ばれる。
【００２３】
底壁Ａの面Ａｉｎには、短辺の中央付近に（すなわち側壁Ｃと側壁Ｅの中間位置付近に）、長辺に沿って（すなわち、側壁Ｂと側壁Ｄを結ぶ方向に）一方の面ファスナ１６ａが設けられている。また、側壁Ｄ、Ｅの面Ｄｉｎ、Ｅｉｎの中央付近には、それぞれ、下端から上端にかけて、一方の面ファスナ１８ａ、２０ａが設けられている。図示されていない側壁Ｂ、Ｃの面Ｂｉｎ、Ｃｉｎにも同じく一方の面ファスナが設けられている。一方の面ファスナ１６ａ、１８ａ、２０ａは、仕切壁に設けられる対となる他方の面ファスナと係合して、仕切壁を固定する。なお、「面ファスナ」とは、一対のものが面的に着脱されるファスナであり、ベルクロ（登録商標）、マジックテープ（登録商標）などとも呼ばれる。
【００２４】
図２は、カメラ収納バッグ１０の組み立てを説明する分解図である。カメラ収納バッグ１０は、バッグ本体３０に、クッション材であるエアクッション６０を取り付けて形成されている。
【００２５】
バッグ本体３０は、折り曲げが容易な柔軟性素材である複数のシート部材を結合させて形成されており、カメラ収納バッグ１０の基本的な形状を作っている。シート部材としては、例えば、化学繊維（ナイロン、ポリエステルなど）あるいは天然繊維（綿、麻など）を織り上げた布、化学素材により面的に形成されたシート（ビニルシートなど）が挙げられる。シート部材は、複数種類のシートを重ねたものであってもよい。例えば、収納部１２に面した面Ａｉｎ、Ｂｉｎ、Ｃｉｎ、Ｄｉｎ、Ｅｉｎ、Ｆｉｎはカメラ等を傷つけにくい素材で形成し、その外側に強度の高い部材を張り合わせる態様を挙げることができる。バッグ本体３０は、柔軟性のある素材で形成されているため、不使用時には様々な形状へと折り畳みにより、あるいは、ロール状に丸めることにより、小サイズ化することが可能である。
【００２６】
図２は、図１のカメラ収納バッグ１０を裏返した状態で示した分解図である。バッグ本体３０は、図１で収納部１２に面していた面Ａｉｎ、Ｂｉｎ、Ｃｉｎ、Ｄｉｎ、Ｅｉｎが外を向くように変形されている。このため、図２では、底壁Ａと側壁Ｂ、Ｃにおける本来は内側の面である面Ａｉｎ、Ｂｉｎ、Ｃｉｎが外向きに図示されている。また、図２では、上壁Ｆの本来は外向きの面である面Ｆｏｕｔも図示されている。
【００２７】
バッグ本体３０の６枚の壁である底壁Ａ、側壁Ｂ、Ｃ、Ｄ、Ｅ、上壁Ｆは、全て二重構造に作られている。具体的には、図２における底壁Ａは、２枚のシート３２、３４によって形成されている。シート３２は、面Ａｉｎを構成するシートであり、シート３４は面Ａｏｕｔを構成するシートである。シート３２、３４は、側壁Ｂ方向の端において、側壁Ｂ側の接合部３６、中央の接合部３８、側壁Ｅ側の接合部４０で接着剤あるいは糸を用いて接合されている。しかし、他の部位では開口された状態にあり、側壁Ｂ方向の端においては、シート３２、３４との間に、２つの開口部４２、４４が形成されている。接合部３６、３８、４０は、長辺に沿って連続している。すなわち、シート３２、３４は、側壁Ｃの側の端と、中央と、側壁Ｅの側の端とにおいて、実質的に全て接合されて閉じられた状態にある。したがって、シート３２、３４は、開口部４２、４４を入口とする筒形状に形成されている。図示を省略したが、実施形態では、シート３２、３４は、側壁Ｄの側の端においても、実質的に全て閉じられた状態にある。すなわち、シート３２、３４は、開口部４２、４４のみを入口とする袋形状に形成されている。ただし、シート３２、３４は、側壁Ｄの側の端においては、開口された状態であってもよい。
【００２８】
同様にして、側壁Ｂには、側壁Ｃ側の端に開口部４６を設けた筒形状からなる二重構造が形成されている。側壁Ｃには、側壁Ｂ側の端に開口部４８を設けた筒形状からなる二重構造が形成されている。側壁Ｅには、側壁Ｂ側の端に開口部５０を設けた筒形状からなる二重構造が形成されている。これら側壁Ｂ、Ｃ、Ｅに設けられた筒形状は、底壁Ａとは異なり、それぞれ一つの開口部４６、４８、５０のみを有する。そして、側壁Ｃ、Ｅの開口部４８、５０のサイズ及びその奥にある筒形状のサイズは、底壁Ａの開口部４２、４４のサイズ及びその奥にある筒形状のサイズとほぼ同じである。なお、図示を省略したが、側壁Ｄにも、側壁Ｃ側の端に開口部を設けた筒形状からなる二重構造が形成されている。側壁Ｄの開口部のサイズ及びその奥にある筒形状のサイズは、側壁Ｂの開口部４６のサイズ及びその奥にある筒形状のサイズとほぼ同じである。
【００２９】
上壁Ｆには、底壁Ａと同様にして、側壁Ｂの側の端に二つの開口部５２、５４を設けた筒形状からなる二重構造が形成されている。上壁Ｆの開口部５２、５４のサイズ及びその奥にある筒形状のサイズは、底壁Ａの開口部４２、４４のサイズ及びその奥にある筒形状のサイズとほぼ同じである。
【００３０】
エアクッション６０は、カメラ収納バッグ１０における底壁Ａ、側壁Ｂ、Ｃ、Ｄ、Ｅ及び上壁Ｆの二重構造の内部に挿入され、これらの壁の厚みを構成する部材である。エアクッション６０は、空気の圧縮性を利用したクッションであり、空気が入った中空の内部を有している。
【００３１】
エアクッション６０としては、２つのサイズが用いられている。一つは、奥行きの短いエアクッション６２ａ、６２ｂ（これらをエアクッション６２という場合がある。）である。エアクッション６２ａは側壁Ｂに挿入され、エアクッション６２ｂは側壁Ｄに挿入される。もう一つは、奥行きの長いエアクッション６４ａ、６４ｂ、６４ｃ、６４ｄ、６４ｅ、６４ｆ（これらをエアクッション６４という場合がある）である。エアクッション６４ａは側壁Ｃに挿入され、エアクッション６４ｂ、６４ｃは底壁Ａに挿入され、エアクッション６４ｄは側壁Ｅに挿入され、エアクッション６４ｅ、６４ｆは上壁Ｆに挿入される。２つのサイズのエアクッション６２、６４のみを用いることで、多様なサイズを用意する必要がないという利点が得られている。
【００３２】
エアクッション６０が挿入された後、バッグ本体３０を裏返しにすることで、図１に示したカメラ収納バッグ１０が得られる。裏返しにする段階では、エアクッション６０が大きく変形されるため、バッグ本体３０にはエアクッション６０からの大きな反力が作用する。そこで、バッグ本体３０は、この反力にも十分に耐えられる強度に作られる。
【００３３】
裏返した結果として、図１に示したカメラ収納バッグ１０では、エアクッション６０にアクセスができない状態となる。すなわち、底壁Ａの開口部４２、４４は、収納部１２内において、底壁Ａと側壁Ｂとの境界付近に埋もれた状態となる。側壁Ｂの開口部４６は、収納部１２内において、側壁Ｃとの境界付近に埋もれた状態となる。側壁Ｃの開口部４８は、収納部１２内において、側壁Ｂとの境界付近に埋もれた状態となる。側壁Ｅの開口部５０は、収納部１２内において、側壁Ｂとの境界付近に埋もれた状態となる。また、上壁Ｆの開口部５２、５４は、図１に示すように、上壁Ｆの外側の面であるＦｏｕｔから垂らされる一方の線ファスナ１４ａに覆われる。このため、一方の線ファスナ１４ａを線ファスナの他方の線ファスナ１４ｂと係合した状態では、開口部５２、５４は、外部からアクセスできない状態となる。
【００３４】
なお、図２に示したバッグ本体３０の形状には任意性がある。たとえば、図２においては、壁における二重構造は、２枚のほぼ同じ大きさのシートによって、作られることを想定した。具体的には、図２における底壁Ａのシート３２と３４はほぼ同じ大きさであり、開口部４２、４４においては、接合部３６、３８、４０を結ぶ直線に対して、シート３２とシート３４は、同程度に上方向及び下方向にそれぞれ拡がっている。このため、エアクッション６４ｂ、６４ｃは、開口部４２、４４から挿入された場合に、シート３２とシート３４の中間付近に保持されることになる。これに対し、例えば、シート３４は、小さく設定して、開口部４２、４４においては接合部３６、３８、４０を結ぶ直線上に配置する。また、シート３２は、大きく設定して、開口部４２、４４においては接合部３６、３８、４０を結ぶ直線上から大きく上方向に広がるように設定する態様も考えられる。この態様では、裏返しをして、図１のカメラ収納バッグ１０を形成した場合に、エアクッション６４ｂ、６４ｃは、底壁Ａの面Ａｉｎの側（すなわち収納部１２の側）へ大きく突出し、面Ａｏｕｔの側への突出は小さくなると考えられる。側壁Ｂ、Ｃ、Ｄ、Ｅ及び上壁Ｆにおいても同様である。
【００３５】
また、図２においては、壁と壁との境界領域において、二重構造をもたない部位（すなわち、筒形状になっていない部位）をあまり大きくとらなかった。二重構造をもたない部位が小さい場合には、図１のカメラ収納バッグ１０を形成した場合に、隣接するエアクッション６０の干渉が起きて、壁の境界が２つのエアクッション６０で圧迫されている状態となる。このため、壁の境界付近には、エアクッション６０の隙間ができず、衝撃吸収特性を維持することが可能となる。その一方で、二重構造をもたない部位が小さい場合には、図１のカメラ収納バッグ１０を形成するために裏返す際に、バッグ本体３０はエアクッション６０から大きな反力を受けるため、裏返しが困難化する。
【００３６】
この問題に対しては、筒形状をエアクッション６０よりも十分に大きく作ることで解決できる余地がある。すなわち、筒形状を大きくして、エアクッション６０が筒形状の中で大きく動けるようにすることで、裏返しを容易化する。ただし、エアクッション６０の位置によっては、図１のカメラ収納バッグ１０の形状が必ずしも安定しない可能性も考えられる。さらに、上述の例のように、各壁におけるエアクッション６０を収納部１２の側へ大きく突出させようとした場合には、隣接するエアクッション６０の干渉が非常に大きくなり、筒形状のサイズだけで対応できない状況も考えられる。そこで、例えば、図２における底壁Ａと側壁Ｃとの間では、接合部３６の幅を広くとって、開口部４２と開口部４８との距離を拡げる態様が考えられる。他の壁間の境界においても同様である。
【００３７】
また、図２の例では、底壁Ａにおける二つの開口部４２、４４は、接合部３８において点状に接合された（底壁Ａの長辺方向も考えれば、線状に接合された）。この場合には、底壁Ａにおいて、エアクッション６４ｂ、６４ｃの距離が比較的離れることになる。エアクッション６４ｂ、６４ｃには厚みがあるため、底壁Ａにおける衝撃吸収特性が、接合部３８において著しく低下することはない。しかし、接合部３８において、開口部４２側と開口部４４側を面的に接合させる（例えば、開口部４２側のシート３２と開口部４４側のシートとを幅をもって接合させる状態をいう。）ことで、開口部４２と開口部４４との距離が狭まる。これにより、エアクッション６４ｂ、６４ｃの密着度が向上し、接合部３８における衝撃吸収特性の低下を抑制または防止することが可能となる。上壁Ｆにおいても同様である。
【００３８】
バッグ本体３０の裏返しを容易にするために、図２に示したバッグ本体３０の形状を変更するようにしてもよい。例えば、底壁Ａ、側壁Ｂ、Ｄ、Ｅの４枚を一体的な立体形状に形成し、側壁Ｃは上壁Ｆと一体化することを考える。この場合には、底壁Ａ、側壁Ｂ、Ｄ、Ｅにエアクッション６０を挿入したのちに裏返す作業が容易化される。なお、裏返しを行って、カメラ収納バッグ１０を形成した段階で、エアクッション６０にアクセスしにくい状態にするためには、各壁の開口部は一体化している壁との境界に設ければよい。例えば、側壁Ｂにおける開口部は、一体化している底壁Ａまたは側壁Ｅとの境界に設ければよい。また、側壁Ｃにおける開口部は、一体化している上壁Ｆとの境界に設ければよい。
【００３９】
バッグ本体３０の形状は、さらに様々な態様をとることも可能である。例えば、バッグ本体３０を平面に展開できるようにしてもよい。一例としては図１のカメラ収納バッグ１０の形状において、側壁Ｂ、Ｃの境界、側壁Ｃ、Ｄの境界、側壁Ｄ、Ｅの境界、側壁Ｅと底壁Ａの境界を切断した形状とする態様が挙げられる。この場合、切断した境界には、線ファスナ等を設けることで、容易に図１のカメラ収納バッグ１０の形状が得られる。
【００４０】
バッグ本体３０を平面展開できる形状とした場合には、線ファスナ等を固定する手間は必要になるが、裏返すことなくエアクッション６０を装着できる利点が生じる。また、バッグ本体３０を平面展開できる形状とした場合には、例えば、各壁に比較的固い板状部材を、着脱不可能にあるいは着脱可能に取り付けるようにして衝撃吸収特性を強化しても、組み立てを阻害せず、また、不使用時の折り曲げを阻害することも少ない。ただし、板状部材を設けなくても、一般的には、エアクッション６０によって、十分な衝撃吸収特性を得ることが可能である。
【００４１】
なお、図２に示したエアクッションの大きさ及び枚数は一例であり、様々に設定可能である。具体的には、図２では、エアクッション６０は、同じ大きさをもつ底壁Ａと上壁Ｆでは、ともに同じ大きさのものを２枚用いることとした。しかし、例えば、底壁Ａでは、図２に示したエアクッション６４ｂ、６４ｃを２枚用いる一方で、上壁Ｆでは半分のサイズのものを４枚用いるという構成も可能である。すなわち、同じ大きさの壁であっても、形状または大きさが異なるエアクッションを同じまたは異なる枚数用いるようにしてもよい。
【００４２】
続いて、図３〜５を参照して、カメラ収納バッグ１０に設ける仕切壁について説明する。図３は仕切壁の組み立てを説明する分解図であり、図４は組み立てられた仕切壁９０の斜視図であり、図５は仕切壁９０等を図１のカメラ収納バッグ１０に取り付けた状態を示す図である。
【００４３】
図３に示したエアクッション６２ｃは、図２に示したエアクッション６０のうち、小さなサイズに形成されたエアクッション６２と同サイズのものである。エアクッション６２ｃは、仕切壁用に作られた布製の袋７０に挿入される。
【００４４】
袋７０は、バッグ本体３０と同じ部材を用いて作成することができる。しかし、袋７０は、バッグ本体３０よりも必要強度が小さいこと、また、カメラ等に直接触れる部材であること、仕切壁として想定されたコンパクトなサイズに収まることが必要である。そこで、図３では、バッグ本体３０に比べて柔らかく、薄い素材を用いることを想定している。
【００４５】
袋７０は、エアクッション６２ｃとほぼ同サイズの大きさに形成されている。袋７０の短辺側の端には開口部７２が設けられており、開口部７２は蓋７４が設けられている。蓋７４は、一対の面ファスナ７６ａ、７６ｂによって閉じ状態を維持される。
【００４６】
図４に示すように仕切壁９０では、袋７０の開口部７２とは反対側の短辺端付近に、上端から下端にかけて面ファスナ２０ｂ１が設けられている。また、開口部７２の側の短辺端付近にも、同様にして面ファスナ２０ｂ２が設けられている（これは、図３に示した蓋７４の裏側に設けられていた）。面ファスナ２０ｂ１、２０ｂ２は、図１に示した面ファスナ２０ａと対になっている。図５に示すように、仕切壁９０は、面ファスナ２０ｂ１、２０ｂ２を、側壁Ｅの面Ｅｉｎに設けられた面ファスナ２０ａ及び側壁Ｃの面Ｃｉｎに設けられた面ファスナと係合されることで、収納部１２を仕切ることができる。
【００４７】
仕切壁９０の両側面（面積最大の面）における長辺の中央付近には、面ファスナ８０ａが設けられている。面ファスナ８０ａは、側壁Ｄの面Ｄｉｎに設けられた面ファスナ１８ａあるいは側壁Ｂの面Ｂｉｎに設けられた面ファスナと対になって、小さな仕切壁を固定するためのものである。図５には、小さな仕切壁９２が、面Ｄｉｎの面ファスナ１８ａ及び仕切壁９０の面ファスナ１８ａに係合された状態を示している。
【００４８】
仕切壁９０の底には、面ファスナ１６ｂが設けられている。面ファスナ１６ｂは、図１に示した底壁Ａの面Ａｉｎに設けられた面ファスナ１６ａと係合するものである。このため、仕切壁９０は、面ファスナ２０ａが存在しない箇所でも、面ファスナ１６ａと係合して固定される。
【００４９】
図５では、カメラ収納バッグ１０の収納部１２は、仕切壁９０、９２によって仕切られている。これにより、収納部１２には、複数の小さな収納物を収納することが可能となっている。
【００５０】
上述の通り、仕切壁９０は、底の面ファスナ１６ｂを、底壁Ａの面ファスナ１６ａと固定して設置可能である。したがって、１枚だけでなく、複数枚の仕切壁９０を設置することも可能である。仕切壁９０に用いられたエアクッション６２ｃは、側壁Ｂ及び側壁Ｄに用いられているエアクッション６２と同サイズであるため、交換用のスペアを共有することができる。袋７０を用意することで、何枚でも仕切壁９０を作成することができる。
【００５１】
図５に示した仕切壁９２は、仕切壁９０と側壁Ｂまたは側壁Ｄとの間に、あるいは、２枚の仕切壁９０の間に設置するものである。仕切壁９２は、小さなサイズであるため、使用されるエアクッション６０は、底壁Ａ、側壁Ｂ、Ｃ、Ｄ、Ｅ及び上壁Ｆで用いられるエアクッション６２、６４よりも小さなサイズである。このため、別途仕切壁９２用のエアクッション６０を用意することになる。
【００５２】
なお、カメラ収納バッグ１０では、例えば、エアクッション６４と同サイズの仕切壁を作ることも可能である。また、仕切壁は、側壁Ｂ、Ｄあるいは側壁Ｃ、Ｅに平行とせずに、斜めに設けるようにしてもよい。
【００５３】
続いて、図６及び図７を参照して、エアクッション６０について説明する。図６は、エアクッション６０の斜視図であり、図７は図６におけるＸ−Ｘ線に沿ったエアクッション６０の断面図である。
【００５４】
図６及び図７の例では、エアクッション６０は、７個の小クッション１００を連結壁１０２で連結して形成されている。小クッション１００は、それぞれが独立（他の小クッション１００と連通していないことをいう）した中空の内部１０４を備え、その周囲を弾性壁１０６で囲われている。小クッション１００は、円筒の両端を半球で塞いだ細長の形状に形成されている。そして、小クッション１００の一方の端における半球の先端には、中空の内部１０４と外部とをつなぐ小さな貫通孔１０８が設けられている。貫通孔１０８は、小クッション１００の並びに沿って、順次反対側の半球に設けられるように設定されている。
【００５５】
小クッション１００は、円筒の側面を連結壁１０２で連結されている。これにより、エアクッション６０は、短編方向に延びる小クッション１００が、長辺方向に複数個並べられた状態に形成されている。
【００５６】
小クッション１００の中空の内部１０４は、通常、貫通孔１０８を通じて空気が出入りすることで、外気と同じ気圧に保たれる。このため、例えば、飛行機の機中や、高山などの低気圧の場所においても、中空の内部１０４が高圧化することはなく、小クッション１００の破裂は起こらない。
【００５７】
小クッション１００を形成する弾性壁１０６は、例えば、弾性素材（例えば合成ゴム、天然ゴムなど、一般的な素材に比べて弾性変形可能な変位幅が広い素材をいう）によって作られる。小クッション１００に衝撃荷重が加わった場合には、弾性壁１０６が変形するとともに、中空の内部１０４の空気が圧縮され高圧化する。このとき、小クッション１００は、円筒及び半球の組み合わせ形状であるため、特定の箇所に応力集中が起こることはなく、大きな圧力に耐えることができる。また、短時間では、貫通孔１０８から漏れ出す空気は少ないため、中空の内部１０４は、高圧状態を維持する。そして、高圧化した空気が膨張しようとする力と、弾性変形した弾性壁１０６が元の形状に戻ろうとする復元力によって、衝撃荷重に対する反力が生み出される。これにより、小クッション１００は、衝撃吸収部材としての役割を果たす。弾性素材で作られた弾性壁１０６は、変位の大きな弾性変形を受けても元の形状に戻ることができるため、複数回の衝撃に対してもクッション性を失わない。
【００５８】
小クッション間を連結する連結壁１０２の素材は特に限定されない。ただし、エアクッション６０は、金型等を利用した成型によって安価に作ることが可能である。この場合、連結壁１０２は、弾性壁１０６と同じ素材を用いて作られる。連結壁１０２は、ハサミあるいはカッターによって容易に切断できる程度の強度に作られている。また、切断した断面は、弾性素材を用いたような場合には、通常、それほど鋭利なものとはならず、ユーザも、バッグ本体３０も傷つけにくい。このため、ユーザは、大きなエアクッション６０から、分割して、小さなサイズにすることができる。すなわち、大きなエアクッション６０を分割して、図２に示した２つのサイズのエアクッション６２、６４を作ることも可能となる。また、図５に示した小さな仕切壁９２のためのクッションを作ることも可能となる。エアクッション６０の大きさは、小クッション１００の大きさ及び小クッション１００の連結数を調整することで、自由に設定可能となる。
【００５９】
ここに示したエアクッション６０の形状は、一例にすぎず、さまざまに変更可能である。図６及び図７では、小クッション１００は、円筒形の両端に半球を取り付けた形状としていたが、例えば、角筒（例えば断面が四角形の四角筒、六角形の六角筒など）の両端に半球を取り付けたような形状とすることができる。この態様では、小クッション１００に衝撃荷重が加わって中空の内部１０４の圧力が高まった場合に、大きな応力が集中する可能性がある両端を半球状として応力の分散を図っている。そして、比較的応力が集中しにくいと考えられる中間部を各筒とすることで、小クッション間の隙間を減らして、収納部１２を保護する効果を高めている。ただし、肉厚を厚くするなどして両端の強度を確保できるのであれば、両端は半球状ではなく、平板状とすることも可能である。この場合、小クッション１００は、両端が板状の円筒あるいは角筒に形成される。
【００６０】
さらに、エアクッション６０では、小クッション１００の連結壁１０２を設けずに、隣接する小クッション１００が直接連結された形状としてもよい。小クッション１００を連結する必要性が低い場合には、連結壁１０２を設けないことにより、小クッション１００間の隙間を低減し、収納部１２を保護する効果を高めることが有効となる。
【００６１】
エアクッション６０は、衝撃吸収性のみならず、外気圧適応性に優れた点に特徴がある。このため、カメラ収納バッグ１０の一部として使用することはもちろん、他のさまざまな用途にも使用することができる。例えば、精密機器、食品等を含む各種の梱包資材として使用することが可能である。また、例えば、人が使用するマット、クッション、枕などに使用することが可能である。用途に応じて、小クッション１００の大きさ、形状、素材、肉厚などを変更すること、貫通孔１０８の大きさ、数、位置などを変更すること、連結壁１０２の有無、大きさ、形状などを変更することが可能である。用途によっては、例えば、小クッション１００が連結されずに一つだけで構成されたものを用いることも可能であるし、図５に示したエアクッション６０を厚み方向に複数枚重ねて、全体の厚みを作り出すことも可能である。
【００６２】
さらに、エアクッション６０としては、図６及び図７に示した以外の構造のものを用いることも可能である。例えば、ビニルなどの合成樹脂で作られた袋の中に、空気等のガスを密閉したエアクッション６０を用いることが考えられる。空気等を密閉した場合には、低圧環境下においてエアクッション６０が破裂するおそれがある。しかし、圧力と袋強度を適切に設定することで、現実的な環境においえてエアクッション６０を破裂させないことが可能である。
【００６３】
また、エアクッション６０としては、空気の注入口を備えたものとすることができる。ユーザは、例えば、口を使って、あるいは携帯ポンプなどを使って、注入口からエアクッション６０内に空気を送り込み、注入口に封をして使用する。低圧条件下では、あらかじめ注入口から空気の一部を抜いておくことで、破裂を防ぐことが可能となる。注入口を備えたエアクッション６０では、不使用時には、空気を抜いて、小サイズ化することが可能となる。
【００６４】
さらには、エアクッション６０に代えて、ウレタン等の弾性樹脂部材をクッション材として用いるようにしてもよい。この場合には、エアクッション６０に比べて重量が増大することが考えられるが、安定した衝撃吸収性能を確保することが期待できる。
【００６５】
以上に説明した態様以外にも、さまざまな実施形態をとることが可能である。例えば、以上の説明では、エアクッション６０は、各壁の２重構造の中に開口部から挿入されるものとした。しかし、エアクッション６０は、着脱可能に各壁に取り付けられればよく、例えば、面ファスナによって、各壁の表面あるいは内部に固定されるようにしてもよい。
【００６６】
また、カメラ等を収納するカメラ収納バッグ１０を例に挙げて説明した。カメラ収納バッグ１０は、少なくともカメラが収納され、必要に応じて、カメラに装着するレンズ、ストロボなど、カメラとともに使用される備品も収納可能となるように設計されたバッグをいう。カメラとは、静止画または動画を撮影することが可能な装置であり、デジタル方式、フィルム方式等の別は問わず、また、通信機能などが備わっているか否かの別なども問わない。ただし、例えば、スマートフォンに付属的に装着されたカメラよりも、撮影を主目的とした機器としてのカメラ、特に、いわゆる一眼レフカメラのような高級カメラにおいては、カメラ収納バッグ１０を必要とする可能性が高まる。
【００６７】
カメラ収納バッグ１０は、しかしながら、カメラ以外の収納用途に用いることも可能である。例えば、カメラではなく、カメラ用のレンズを主に収納するカメラ用レンズ収納バッグとして使われてもよい。あるいは、パソコン、タブレットなどのコンピュータを収納するコンピュータ収納バッグとして使われてもよい。カメラ収納バッグ１０は、その他さまざまな精密機器の収納をする精密機器収納バッグとして使用することができる。また、カメラ収納バッグ１０は、例えば、陶磁器あるいはガラス製品のように壊れやすい物、あるいは貴重な物を収納して持ち運ぶ用途にも利用可能である。
【００６８】
以上の実施形態においては、カメラ収納バッグ１０には、把手、ストラップの持ち運びのための部位を設けなかった。これは、カメラ収納バッグ１０を、他のバッグ（スーツケースのようなハードな素材からできたものを含む）の中に入れて持ち運ぶいわゆるインナバッグとして使われることを想定したためである。逆に言えば、把手及びストラップを備えないバッグをインナバッグと呼ぶことができる。インナバッグとして使われる場合、カメラ収納バッグ１０は、必ずしも防水性、防塵性などが十分でなくてもよい。
【００６９】
しかし、カメラ収納バッグ１０は、それ自体を直接持ち運ぶバッグ（インナバッグに対してアウタバッグと呼んでもよい）として使用することも可能である。アウタバッグとして使用する場合には、把手またはストラップの少なくとも一つを、着脱不可能にあるいは着脱可能に取り付ける。また、アウタバッグとしての機能向上を図るために、防水性あるいは防塵性を高めた素材を使用するようにしてもよいし、面ファスナ部位を内側からあるいは外側から保護する部材を設けて防塵性及び防水性を高めるようにしてもよい。
【００７０】
続いて、図８を参照して、カメラ収納バッグ１０の変形態様について説明する。図８は、変形態様にかかるカメラ収納バッグ２１０の斜視図である。カメラ収納バッグ２１０は、図１に示したカメラ収納バッグ１０と基本的な構成は同じである。すなわち、カメラ収納バッグ２１０は、底壁Ａと、底壁Ａの周囲を囲む側壁Ｂ、Ｃ、Ｄ、Ｅの５枚の壁と、側壁Ｅの上端に接続された上壁Ｆを備える。
【００７１】
ただし、カメラ収納バッグ２１０においては、底壁Ａの面Ａｉｎには、面ファスナ１６ａが設けられていない。また、側壁Ｄ、Ｅの面Ｄｉｎ、Ｅｉｎの中央付近には、面ファスナ１８ａ、２０ａは設けられていない。代わりに、側壁Ｄの面Ｄｉｎには、底壁Ａの面Ａｉｎと平行に２本の面ファスナ２１８ａ、２１８ｂが設けられている。また、側壁Ｅの面Ｅｉｎには、底壁Ａの面Ａｉｎと平行に２本の面ファスナ２２０ａ、２２０ｂが設けられている。同様にして、側壁Ｂの面Ｂｉｎと側壁Ｃの面Ｃｉｎとにも、２本の面ファスナが設けられている。カメラ収納バッグ２１０は、図９に示す仕切壁２９０とともに用いられる。
【００７２】
図９は、仕切壁２９０の斜視図である。仕切壁２９０は、エアクッションを袋２７０に挿入して形成されている。袋２７０には、短辺側の端に、面ファスナ２２０ａｂ１、２２０ａｂ２が設けられている。面ファスナ２２０ａｂ１は、カメラ収納バッグ２１０の面ファスナ２２０ａ、２２０ｂと係合される。カメラ収納バッグ２１０の面ファスナ２１８ａ，２１８ｂ、２２０ａ、２２０ｂは、面Ｄｉｎと面Ｅｉｎに沿って横方向（面Ａｉｎに平行な方向）に延びているため、仕切壁２９０は、横方向の所望の位置に係合することが可能となる。
【００７３】
また、仕切壁２９０の袋２７０の側面には、横方向に延びる２つの面ファスナ２８０ａ、２８０ｂが取り付けられている。このため、仕切壁２９０にさらに別の仕切壁を係合させる場合においても、横方向の所望の位置に係合することが可能となる。
【００７４】
続いて、図１０を参照して、変形例にかかるエアクッション３６０について説明する。図１０は、エアクッション３６０の斜視図である。
【００７５】
図１０に示したエアクッション３６０は、７個の小クッション４００が、連結壁４０２によって連結されている。小クッション４００は、図６に示したエアクッション６０の小クッション１００と同様に、それぞれが独立しており、空気などの適当な気体が挿入された中空の内部を弾性壁で覆って形成されている。ただし、小クッション４００には、貫通孔は設けられていない。小クッション４００は、弾性壁が十分な強度をもつため、飛行機の機中や、高山などの低気圧の場所においても、破裂することはない。また、小クッション４００を連結する連結壁４０２は、小クッション４００の周囲にまで拡がっており、小クッション４００の強度を補強する役割も果たしている。
【００７６】
なお、図１０に示したエアクッション３６０では、短編方向に延びる一つの小クッション４００が、長辺方向に連なる形態としているが、短編方向にも複数の小クッションが並ぶようにしてもよい。この場合には、長辺方向のみならず、短編方向の連結箇所でも、エアクッション３６０を分割することも可能となる。
【００７７】
次に、図１１及び図１２を参照して、形状が異なるバッグについて説明する。図１１は、精密機器収納バッグの一例であるレンズ収納バッグ５００の斜視図である。また、図１２は、精密機器収納バッグの一例であるキャスター付バッグ６００の斜視図である。
【００７８】
図１１に示したレンズ収納バッグ５００は、略円柱形状に形成されている。具体的には、円形の底壁５０２と円筒形の側壁５０４とからなる収納部と、円形の蓋壁５０６からなる蓋部とが結合されている。側壁５０４の上部と、蓋壁５０６の下部には、それぞれ線ファスナ５０８が取り付けられている。線ファスナ５０８を開くことで、レンズ収納バッグ５００には、カメラのレンズなどを挿入可能となり、線ファスナ５０８を閉じることで、レンズなどが飛び出ないように保護することが可能となる。
【００７９】
底壁５０２、側壁５０４、及び蓋壁５０６は、いずれも柔軟性のある素材が二重に設けられた二重構造となっている。底壁５０２の外周付近には、収納面側（レンズが入る側）に開口部５１０が設けられており、クッション材が着脱可能に挿入できる。側壁５０４には、収納面側に、軸方向（底壁５０２から蓋壁５０６に向かう方向）に延びる開口部５１２が設けられており、クッション材が着脱可能に挿入できる。蓋壁５０６の外周付近には、収納面側に開口部５１４が設けられており、クッション材が着脱可能に挿入できる。
【００８０】
レンズ収納バッグ５００においても、裏返した状態（収納面側が外を向く状態）でクッション材が挿入される。そして、裏返した状態をもとに戻した上で使用される。なお、レンズ収納バッグ５００が軸方向に長い形状である場合、裏返しに必要となる力が増大し、裏返しが困難になることも考えられる。そこで、例えば、側壁５０４の一部をファスナで開閉可能に形成することで、裏返しを容易化することも可能である。また、側壁５０４と蓋壁５０６を常に結合した状態に形成した上で、蓋壁５０６と側壁５０４（さらには底壁５０２）を連続的に切断した開口を設けて、線ファスナで開閉可能にすることも考えられる。
【００８１】
図１２に示したキャスター付バッグ６００は、バッグ本体６０２と、キャスター６０４、及び、引き出し可能なアーム６０６を備える。バッグ本体６０２は、略直方体に形成されており、上壁６１０、２つの狭側壁６１２、６１４、広側壁６１６、及び底壁６１８からなる収納部と、蓋部をなす広側壁６２０によって形成されている。蓋部である広側壁６２０は、線ファスナによって収納部と係合される。
【００８２】
キャスター６０４及びアーム６０６は略Ｌ字型のフレームに取り付けられている。そして、このフレームはバッグ本体６０２の底壁６１８及び広側壁６１６と結合されている。このため、バッグ本体６０２は、裏返すことができない。ただし、フレームに取り付けられている部分を除けば、基本的にバッグ本体は柔軟な素材によって形成されている。このため、例えば、収納部に保護対象物を収納しない場合には、バッグ本体６０２を変形して、小型化することができる。
【００８３】
バッグ本体６０２の６つの壁は、いずれも二重構造に形成されている。二重構造の収納面側の部位には開口部が設けられており、開口部からクッション材が着脱可能に挿入される。例えば、狭側壁６１４の上部には開口部６３０が設けられており、狭側壁６１４に取り付けられるクッション材が挿入される。同様に、狭側壁６１２の上部には開口部６３２が設けられており、狭側壁６１２に取り付けられるクッション材が挿入される。上壁６１０に取り付けられるクッション材は、上壁６１０に設けられた開口部から挿入されてもよいし、狭側壁６１４の上部の開口部６３０または狭側壁６１２の上部の開口部６３２から挿入されてもよい。
【００８４】
広側壁６１６の上部には、二つの開口部６３４、６３６が設けられており、広側壁６１６に取り付けられるクッション材が挿入される。底壁６１８にも、開口部を設けて、クッション材を挿入することができる。あるいは、底壁６１８に取り付けるクッション材として、狭側壁６１２に設けられるクッション材と一つながりに形成されたものを用いることとし、狭側壁６１２の上部の開口部６３２から挿入することも可能である。
【００８５】
また、蓋部をなす広側壁６２０にも、二つの開口部６３８、６４０が設けられており、広側壁６２０に取り付けられるクッション材が挿入される。
【００８６】
キャスター付バッグ６００では、バッグ本体６０２を裏返すことができないため、クッション材は実際にキャスター付バッグ６００を使用する状態で各壁に取り付けられる。一般に、キャスター付バッグ６００は、サイズが一般のバッグに比べて大きく、開口部、及びクッション材のサイズも大きく形成されるため、バッグ本体６０２を裏返えさなくても、クッション材を取り付けることが可能である。
【００８７】
なお、本実施形態には、次の態様も含まれる。
【００８８】
（１）  柔軟性素材を用いて折り曲げ可能に形成された略直方体のバッグ本体と、前記バッグ本体の前記略直方体の各壁に着脱可能に取り付けられたクッション材と、を備えることを特徴とする精密機器収納バッグ。
【００８９】
（２）  上記（１）に記載の精密機器収納バッグにおいて、前記略直方体の各壁は、二重構造を有し、壁の一辺が開口され当該一辺に隣接する二辺が閉じられた筒形状に形成され、前記クッション材は、前記二重構造の内部に挿入されることにより、前記略直方体の各壁に着脱可能に取り付けられることを特徴とする精密機器収納バッグ。
【００９０】
（３）  上記（２）に記載の精密機器収納バッグにおいて、前記バッグ本体は、前記略直方体の５壁により形成された収納部と、残る１壁によって形成された蓋部とを有し、  前記収納部を形成する５壁では、前記開口は、前記収納部の内側で、かつ、当該５壁に含まれるいずれかの壁との境界に設けられ、当該収納部を裏返した状態で前記クッション材が挿入される、ことを特徴とする精密機器収納バッグ。
【００９１】
（４）  上記（１）に記載の精密機器収納バッグにおいて、前記直方体の各壁のうち面積最大の２壁には、それぞれ、他の２壁または他の４壁に取り付けられる前記クッション材と同サイズの前記クッション材が複数個取り付けられる、ことを特徴とする精密機器収納バッグ。
【００９２】
（５）  上記（１）に記載の精密機器収納バッグにおいて、前記直方体の各壁のうち面積最小の２壁または面積中間の２壁で用いられる前記クッション材と同サイズのクッション材が、前記バッグ本体の前記略直方体内における仕切壁として用いられることを特徴とする精密機器収納バッグ。
【００９３】
（６）  上記（１）に記載の精密機器収納バッグにおいて、前記クッション材は、中空の内部と、当該中空の内部を囲む弾性素材で形成された弾性壁とを有し、前記壁には前記中空の内部に通じる貫通孔が設けられている、ことを特徴とする精密機器収納バッグ。
【００９４】
（７）  上記（６）に記載の精密機器収納バッグにおいて、前記クッション材は、前記中空の内部と、前記弾性素材で形成された弾性壁とを有する短辺方向に延びる独立した小クッションが長辺方向に複数個並べられ、前記小クッション間において切断可能に形成されている、ことを特徴とする精密機器収納バッグ。
【００９５】
（８）  上記（１）に記載の精密機器収納バッグであって、当該精密機器収納バッグは、他のバッグに入れて持ち運びされるインナバッグであることを特徴とする精密機器収納バッグ。
【００９６】
（９）  上記（１）に記載の精密機器収納バッグであって、精密機器はカメラであることを特徴とするカメラ収納バッグ。
【符号の説明】
【００９７】
１０  カメラ収納バッグ、１２  収納部、１４ａ，１４ｂ  線ファスナ、１６ａ，１６ｂ，１８ａ，２０ａ，２０ｂ１，２０ｂ２  面ファスナ、３０  バッグ本体、３２，３４  シート、３６，３６，３８  接合部、４２，４４，４６，４８，５０，５２，５４  開口部、６０，６２，６２ａ，６２ｂ，６２ｃ，６４，６４ａ，６４ｂ，６４ｃ，６４ｄ，６４ｅ，６４ｆ  エアクッション、７０  袋、７２  開口部、７４  蓋、７６ａ，７６ｂ，８０ａ  面ファスナ、９０，９２  仕切壁、１００  小クッション、１０２  連結壁、１０４  中空の内部、１０６  弾性壁、１０８  貫通孔、２１０  カメラ収納バッグ、２１８ａ，２１８ｂ，２２０ａ，２２０ａｂ１，２２０ａｂ２，２２０ｂ  面ファスナ、２７０  袋、２８０ａ，２８０ｂ  面ファスナ、２９０  仕切壁、３６０  エアクッション、４００  小クッション、４０２  連結壁、５００  レンズ収納バッグ、５０２  底壁、５０４  側壁、５０６  蓋壁、５０８  線ファスナ、５１０，５１２，５１４  開口部、６００  キャスター付バッグ、６０２  バッグ本体、６０４  キャスター、６０６  アーム、６１０  上壁、６１２，６１４  狭側壁、６１６  広側壁、６１８  底壁、６２０  広側壁、６３０，６３２，６３４，６３６，６３８，６４０  開口部、Ａ  底壁、Ｂ，Ｃ，Ｄ，Ｅ  側壁、Ｆ  上壁。
【図１】
2021006218.tif 000003
【図２】
2021006218.tif 000004
【図３】
2021006218.tif 000005
【図４】
2021006218.tif 000006
【図５】
2021006218.tif 000007
【図６】
2021006218.tif 000008
【図７】
2021006218.tif 000009
【図８】
2021006218.tif 000010
【図９】
2021006218.tif 000011
【図１０】
2021006218.tif 000012
【図１１】
2021006218.tif 000013
【図１２】
2021006218.tif 000014
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
保護対象物が収納される空間を全面的に囲むバッグ本体であって、
前記空間を囲む各壁に形成された二重構造と、前記二重構造における収納面側に設けられた開口部と、を有するクッション取付部を備え、
前記クッション取付部には、クッション材が前記開口部を通じて前記二重構造の内部に着脱可能に取り付けられ、
前記各壁は、柔軟性素材を用いて折り曲げ可能に形成されており、
当該バッグ本体は、前記クッション取付部に前記クッション材を取り付けた状態で、裏返し可能に形成されている、ことを特徴とするバッグ本体。
【請求項２】
請求項１に記載のバッグ本体において、
当該バッグ本体は略直方体に形成され、前記略直方体の５壁により形成された収納部と、残る１壁によって形成された蓋部とを有し、
前記収納部を形成する各壁における前記開口部は、前記収納部を形成する他の壁との境界に境界付近に設けられている、ことを特徴とするバッグ本体。
【請求項３】
請求項１に記載のバッグ本体と、
前記クッション取付部に着脱可能に取り付けられた前記クッション材と、
を備えることを特徴とする保護対象物収納バッグ。
【請求項４】
請求項３に記載の保護対象物収納バッグにおいて、
前記バッグ本体は略直方体に形成され、
前記略直方体の各壁のうち面積最大の２壁には、それぞれ、他の２壁または他の４壁に取り付けられる前記クッション材と同サイズの前記クッション材が複数個取り付けられる、ことを特徴とする保護対象物収納バッグ。
【請求項５】
請求項３に記載の保護対象物収納バッグにおいて、
前記バッグ本体は略直方体に形成され、
前記略直方体の各壁のうち面積最小の２壁または面積中間の２壁で用いられる前記クッション材と同サイズのクッション材が、前記バッグ本体の前記略直方体内における仕切壁として用いられることを特徴とする保護対象物収納バッグ。
【請求項６】
請求項３に記載の保護対象物収納バッグにおいて、
前記バッグ本体は略円柱体に形成されていることを特徴とする保護対象物収納バッグ。
【請求項７】
請求項３に記載の保護対象物収納バッグにおいて、
前記クッション材は、中空の内部と、当該中空の内部を囲む弾性素材で形成された弾性壁とを有する短辺方向に延びる独立した小クッションが長辺方向に複数個並べられ、前記小クッション間において切断可能に形成されている、ことを特徴とする保護対象物収納バッグ。
【請求項８】
請求項１に記載の保護対象物収納バッグであって、
前記保護対象物は精密機器であることを特徴とする精密機器収納バッグ。
【手続補正２】
【補正対象書類名】明細書
【補正対象項目名】０００８
【補正方法】変更
【補正の内容】
【０００８】
本発明にかかるバッグ本体は、保護対象物が収納される空間を全面的に囲むバッグ本体であって、前記空間を囲む各壁に形成された二重構造と、前記二重構造における収納面側に設けられた開口部と、を有するクッション取付部を備え、前記クッション取付部には、クッション材が前記開口部を通じて前記二重構造の内部に着脱可能に取り付けられ、前記各壁は、柔軟性素材を用いて折り曲げ可能に形成されており、当該バッグ本体は、前記クッション取付部に前記クッション材を取り付けた状態で、裏返し可能に形成されている。
【手続補正３】
【補正対象書類名】明細書
【補正対象項目名】００１０
【補正方法】削除
【補正の内容】
【国際調査報告】
2021006218.tif 000015
2021006218.tif 000016
2021006218.tif 000017
2021006218.tif 000018